(57)【特許請求の範囲】
【請求項１】
流し台（６）、流し台用蛇口（８）、作業台（１０）、流し台と作業台の下方に位置された少なくとも１個の戸棚（１２、１６）、戸棚内に置かれた少なくとも１個の水容器（１８、２０）、水容器を蛇口へ連結する第１導管（２２）、ユニット内に貯蔵されたシャワーホース（２４）とシャワーヘッド（２６）、水容器をシャワーホースに連結する第２導管（２８）、および、水を容器から蛇口とシャワーホースへ汲み上げる電動ポンプ（３２）を有するポータブルキッチン、トイレット、シャワーユニットにして、前記トイレットがポータブル化学便器（３８）であり、シャワーユニットが、自動車の後部扉（４６）から垂れ下がる貯蔵シャワー囲い（４０）であることを特徴とするユニット。
【請求項２】
請求項１に記載のユニットにおいて、調理装置（３４）が、作業台（１０）に隣接するユニットの頂面に位置されていることを特徴とするユニット。
【請求項３】
請求項１に記載のユニットにおいて、冷蔵庫（３６）が戸棚（１４）内に位置されていることを特徴とするユニット。
【請求項４】
請求項１に記載のユニットにおいて、貯蔵シャワー囲い（４０）が、可撓性の耐水性材料で作られていることを特徴とするユニット。
【請求項５】
請求項４に記載のユニットにおいて、前記可撓性の耐水性材料が不透明であることを特徴とするユニット。
【請求項６】
請求項１に記載のユニットにおいて、前記貯蔵シャワー囲い（４０）が、自動車（４）の上げられた後部扉（４６）上のフック（４４）を通るコード（４２）から懸吊されていることを特徴とするユニット。
【請求項７】
請求項１に記載のユニットにおいて、前記貯蔵シャワー囲いが、鳩目孔（４８）を通り地面に打ち込まれる２本脚の突き刺し装置（５０）を使用して地面に固定されていることを特徴とするユニット。
【発明の詳細な説明】
【０００１】
【発明の属する技術分野】
本発明は、ポータブルキッチン、トイレット、シャワーユニットに関し、特に、キャンプ自動車、旅行自動車、ボートに対して、キャンプ地、遠くの建設地、孤立した農家において使用されよう。
【０００２】
【従来の技術】
人々が旅行またはキャンプの休日を過ごすか、遠隔の地にいるときは、キッチンや洗浄設備がないか、極端に貧弱である。このことは、例えば食器を洗ったり、シャワーを浴びたりのような単純なことが困難になり、休日の楽しみ全体を損なうことになる。
【０００３】
【発明が解決しようとする課題】
本発明の目的は、上記の問題を解消させることである。
【０００４】
【課題を解決するための手段】
従って、本発明の１実施例においては、流し台、流し台用蛇口、作業台、流し台と作業台の下方に位置された少なくとも１個の戸棚、戸棚内に置かれた少なくとも１個の水容器、水容器を蛇口へ連結する第１導管、ユニット内に貯蔵されたシャワーホースとシャワーヘッド、水容器をシャワーホースに連結する第２導管、および、水を容器から蛇口とシャワーホースへ汲み上げる電動ポンプを有するポータブル流し台、シャワーユニットが設けられている。
【０００５】
本発明の流し台とシャワーユニットはポータブルであり、流し台により洗浄設備を提供し、シャワーホースとシャワーヘッドにより人体洗浄設備を提供し得るため、流し台とシャワーユニットとは、休日を旅行輸送車内やテント内で過ごす人々、または、通常の主要設備が利用できない間隔地にある人々にとつて非常に有用である。
【０００６】
ユニットは、ガス容器を用いたガス操作の調理装置を含むことが好ましい。ガス容器は通常小型金属製容器であるが、望むなら、より大きい円筒を使用してもよい。ガス操作の調理装置は通常作業台に隣接したユニットの頂面に置かれている。
【０００７】
ユニットは氷冷蔵庫を有していてよい。氷冷蔵庫は冷たい飲料水を提供し、食品を保存するのに有効である。
ユニットは、ポータブル化学便器を含んでいてよい。
２個の水容器が存在することが好ましい。しかし要すれば、単一の水容器または２個以上の水容器が使用されてもよい。
３個の戸棚が設けられることが好ましい。
【０００８】
ユニットは、第１の戸棚が２個の水容器を収容し、第２の戸棚がボンプ、車ホース、シャワーヘッドを収容するようになつていてよい。
ユニットは、第２の戸棚が氷冷蔵庫をも収容し、第３の戸棚が化学便器を収容するようになつていてもよい。
【０００９】
ユニットは、折り畳み可能な耐水製材料から作られた貯蔵シャワー囲いを含んでいてよい。例えば、ナイロンシート材料、ポリエチレンシート材料、他のプラスチツク材料のような適切な折り畳み可能な耐水性材料が使用されよう。折り畳み可能な耐水性材料はプライバシイを護るため通常不透明である。
【００１０】
ユニットは、後部アクセス扉を有する自動車の後部に、自立ユニットとして自動車を横切って置かれ、そのユニット位置で、自動車の後部扉が正常に開閉可能であり、後部扉を開けた場合、ユニットが直ちに使用出来るようなユニットの大きさ構造になつている。
【００１１】
好適には、ユニット内にシャワー囲いが構成され、該囲いが、上部ヒンジ回りに上方へ開く単一後部扉をもつタイプの自動車の場合、自動車の後部扉から垂れ下がるようになつている。
【００１２】
【発明の実施の形態】
本発明の１実施例を、単に例示的に、付図を参照して以下説明する。
図には、４輪駆動車４の後部に設置された流し台シャワーユニットが示されている。ユニット２は、流し台６、流し台用蛇口８、作業台１０を有する。ユニット２は、流し台６と作業台１０の下方に置かれた第１、第２、第３の戸棚１２、１４、１６を有する。
【００１３】
第１戸棚１２は、２個の水容器１８、２０を収容している。第１導管２２が、水容器１８、２０を蛇口８に連結するために設けられている。
ユニット２は、シャワーホース２４とシャワーヘッド２６とを第２戸棚１４に貯蔵するようになっている。第２導管２８が、水容器１８、２０をシャワーホース２４に連結させている。図４、５に見るように、水容器１８、２０は第３導管３０により互いに連結されている。電動ポンプ３２が、水を水容器１８、２０から蛇口８とシャワーホース２４とへ汲み上げるために第２戸棚１４内に設置されている。
【００１４】
ユニット２は、ガス操作の調理装置３４を有している。調理装置３４は、ユニット２の頂面に流し台６と作業台１０との間に置かれている。調理装置３４はガス金属製容器（図示せず）から操作される。
【００１５】
ユニット２は、第２戸棚１４内に置かれた氷冷蔵庫３６を有している。
ユニット２はまた、第３戸棚１６内に置かれたポータブル化学便器３８を有している。
第１、第２、第３戸棚のいずれかが、折り畳可能な耐水性材料の貯蔵シャワー囲いを収容している。図９、１０が、展開され組立てられた状態のシャワー囲い４０を示し、自動車４の上げられた後部扉４６上のフック４４を通るコード４２から垂れ下がっている。後部扉４６はピストン・シリンダユニット４７の上に上がっている。
【００１６】
図１１は、シャワー囲い４０の縁に鳩目４８が設けられていることを示し、鳩目の対が２本脚の突き刺し装置５０を受容し、突き刺し装置を地中に押し込むことにより、図９、図１０に示すように使用中、シャワー囲い４０の底部を地面に強く保持するようになつている。
【００１７】
図９はまた、ポータブル化学便器３８がシャワー囲い４０内に置かれている様子を示している。シャワー囲いの後部壁５２は開口５４を有し、そこをシャワーホース２４とシャワーヘッド２６とが通り、シャワー囲い内の使用に便利な位置に設けたコードまたは他の手段（図示せず）に懸吊されている。シャワー囲い４０は、図９で良く判るように、入り口を形成する閉鎖可能な前方部５６を有している。
【００１８】
図１、図２から判るように、ユニット２は自動車４の後部に収納され得るような大きさと構造になっている。ユニット２は自立ユニットとして自動車を横切って置かれる。自動車が図１、図２に示す状態にあるとき、ユニット２は、自動車の後部扉４６が正常に開閉されることを許している。さらに、後部扉４６が開かれると、ユニット２は直ちに使用し得る状態になる。ユニット２は、流し台６と作業台１０が容易に作業するのに適切な高さに正確に位置するように構成されている。旅行、キャンプの休日の後には、ユニットが完全に独立式であるから、ユニットは容易に除去可能であり、単に、自動車から引きだし、貯蔵することだけが必要とされる。その後自動車４は、ユニット２が再び必要になるまで、毎日の正常な使用に供されることが出来る。
【００１９】
【発明の効果】
ユニット２が、毎日生活し、休日を充分楽しむために本質的な多くの洗浄、調理設備を提供する、非常に小さい、目的に適った非常に便利なものであることは明らかである。
【００２０】
以上付図を参照して説明した本発明の実施例は、単なる１例として示されたものであり、修正を加え得ることが理解さるべきである。例えば、ポンプ３２は第２戸棚１４の代わりに第１戸棚１２内に置いてもよい。２個の水容器１８、２０の代わりに単一の水容器を使用してもよい。第１、第２、第３戸棚１２、１４、１６は要望に応じ、単一の戸棚として、または、３個以上の戸棚として構成されてもよい。ユニット２は自動車４以外の乗り物に搭載されてもよく、また、例えば、ボート、テント、仮小屋のような他の構造物内に置かれてもよい。
【図面の簡単な説明】
【図１】自動車の後部に置かれたポータブル流し台、シャワーユニットを示す。
【図２】図１の自動車内のユニットの拡大透視図。
【図３】図１のユニットの前面図。
【図４】図３のユニットの、垂直面内の長手方向断面図。
【図５】図３のユニットの、水平面内の長手方向断面図。
【図６】図３のユニットの平面図。
【図７】図３のユニットの側面図。
【図８】図３のユニットの垂直面内の断面図。
【図９】図１と同じようにユニットを示しているが、シャワー囲いが組立てられている。
【図１０】図９に示すように組立てられたシャワー囲いの一部の側面図。
【図１１】シャワー囲いの基部が地面に固定される状態を示す図。
【符号の説明】
２  ユニット
４  自動車
６  流し台
８  蛇口
１０  作業台
１２、１４、１６  戸棚
１８、２０  水容器
２２  第１導管
２４  シャワーホース
２６  シャワーヘッド
２８  第２導管
３２  ポンプ
３４  調理装置
３６  冷蔵庫
３８  化学便器
４０  シャワー囲い
４６  後部扉
５０  突き刺し装置
【図１】
0003733201.tif 000002
【図２】
0003733201.tif 000003
【図３】
0003733201.tif 000004
【図４】
0003733201.tif 000005
【図５】
0003733201.tif 000006
【図６】
0003733201.tif 000007
【図７】
0003733201.tif 000008
【図８】
0003733201.tif 000009
【図９】
0003733201.tif 000010
【図１０】
0003733201.tif 000011
【図１１】
0003733201.tif 000012